【手続補正書】
【提出日】平成19年10月29日(2007.10.29)
【手続補正１】
【補正対象書類名】明細書
【補正対象項目名】特許請求の範囲
【補正方法】変更
【補正の内容】
【特許請求の範囲】
【請求項１】  
ノズルから微量の潤滑油を軸受内部に直接噴射する潤滑装置であって、
前記ノズルからの吐出油容量より大きい吐出油容量を有するポンプと、
該ポンプと前記ノズルとを接続する油配管と、
該油配管のポンプ側配管とノズル側配管との間に介装され、前記ポンプ側配管内の潤滑油を前記ノズル側配管に供給するように前記油配管を遮断又は開放することで、前記ノズルからの潤滑油の噴射と該噴射の停止を行う切替弁と、
を具備したことを特徴とする潤滑装置。
【請求項２】
前記切替弁は、固定摺接面を有する固定部材と、前記固定摺接面に密接する移動摺接面を有し、前記固定部材に対して摺動回転又は摺接往復する可動部材と、を備え、
前記可動部材は、前記固定部材との相対位置関係に応じて前記油配管を遮断又は開放することを特徴とする請求項１に記載の潤滑装置。
【請求項３】
前記固定部材の固定摺接面には、前記ポンプ側配管が接続される吐出孔と、前記ノズル側配管が接続される送油孔と、が開口し、
前記可動部材は、前記固定部材に対して摺接回転する回転部材であり、
前記回転部材は、その位相に応じて前記吐出孔と前記送油孔とを遮断又は連通することで、前記油配管を遮断又は開放することを特徴とする請求項２に記載の潤滑装置。
【請求項４】
前記回転部材の移動摺接面には、前記吐出孔と送油孔とを連通可能なスリットが形成されており、且つ
前記回転部材は、前記固定摺接面に垂直な軸線を中心に該移動摺接面を摺接回転させることを特徴とする請求項３に記載の潤滑装置。
【請求項５】
前記回転部材は、内周面に固定摺接面を有する円筒状のステータであり、
前記可動部材は、前記移動摺接面を外周面に有し、且つ前記固定摺接面に対して該移動摺接面を摺接させながら回転するロータと、を備え、
前記ステータの固定摺接面には、前記ノズル側配管が接続される送油孔が開口し、
前記ロータの回転摺接面には、前記ポンプ側配管と連通する吐出孔が開口し、
前記ロータは、前記ステータとの位相に応じて前記吐出孔と前記送油孔とを遮断又は連通することで、前記油配管を遮断又は開放することを特徴とする請求項２に記載の潤滑装置。
【手続補正２】
【補正対象書類名】明細書
【補正対象項目名】０００８
【補正方法】変更
【補正の内容】
【０００８】
【課題を解決するための手段】
上記目的を達成するための本発明に係る潤滑装置の構成は、ノズルから微量の潤滑油を軸受内部に直接噴射する潤滑装置であって、前記ノズルからの吐出油容量より大きい吐出油容量を有するポンプと、該ポンプと前記ノズルとを接続する油配管と、該油配管のポンプ側配管とノズル側配管との間に介装され、前記ポンプ側配管内の潤滑油を前記ノズル側配管に供給するように前記油配管を遮断又は開放することで、前記ノズルからの潤滑油の噴射と該噴射の停止を行う切替弁と、を具備したことを特徴とする。
【手続補正３】
【補正対象書類名】明細書
【補正対象項目名】０００９
【補正方法】変更
【補正の内容】
【０００９】
従って、切替弁によって、ポンプからの潤滑油をノズルを介して軸受内部へ適切に供給することができ、電磁石や超磁歪材料を用いた高価な微量潤滑ポンプを使用せずに、安価なポンプを用いて十分な吐出速度が得られ、高速回転のスピンドルにおいて、安定した潤滑特性、即ち、耐焼付性の向上、トルクむら低減等が可能になる。また、オイルエア、オイルミストで問題になった転動体の風切音が生じなくなる。さらに、切替弁までの配管には樹脂製耐圧チューブ等を用いることが可能になり、配管の設計自由度が高まる。
また、潤滑装置では、切替弁は、固定摺接面を有する固定部材と、固定摺接面に密接する移動摺接面を有し、固定部材に対して摺動回転又は摺接往復する可動部材と、を備え、可動部材は、固定部材との相対位置関係に応じて油配管を遮断又は開放するように構成してもよい。
また、潤滑装置では、固定部材の固定摺接面には、ポンプ側配管が接続される吐出孔と、ノズル側配管が接続される送油孔と、が開口し、可動部材は、固定部材に対して摺接回転する回転部材であり、回転部材は、その位相に応じて吐出孔と送油孔とを遮断又は連通することで、油配管を遮断又は開放するようにしてもよい。
さらに、潤滑装置では、回転部材の移動摺接面には、吐出孔と送油孔とを連通可能なスリットが形成されており、且つ、回転部材は、固定摺接面に垂直な軸線を中心に移動摺接面を摺接回転させるようにしてもよい。
また、潤滑装置では、回転部材は、内周面に固定摺接面を有する円筒状のステータであり、可動部材は、移動摺接面を外周面に有し、且つ固定摺接面に対して移動摺接面を摺接させながら回転するロータと、を備え、ステータの固定摺接面には、ノズル側配管が接続される送油孔が開口し、ロータの回転摺接面には、ポンプ側配管と連通する吐出孔が開口し、ロータは、ステータとの位相に応じて吐出孔と送油孔とを遮断又は連通することで、油配管を遮断又は開放するようにしてもよい。
【手続補正４】
【補正対象書類名】明細書
【補正対象項目名】００４５
【補正方法】変更
【補正の内容】
【００４５】
この実施例において、切替弁７は、固定摺接面２１を有する固定部材２３と、固定摺接面２１に密接する移動摺接面２５を有し且つ固定摺接面２１に垂直な軸線２７を中心に移動摺接面２５を摺接回転させる可動部材としての回転部材２９とからなる。固定部材２３の固定摺接面２１には、軸線２７を中心とした円周上に、ポンプ３に接続される吐出孔３１と、ノズル１３に接続される送油孔３３とが穿設されている。回転部材２９の移動摺接面２５には、軸線２７を中心とした円周上に、少なくとも吐出孔３１と送油孔３３とのなす中心角度（本実施例では５０°）より大きい中心角度（本実施例では７０°）の円弧状スリット３５が形成されている。
【手続補正５】
【補正対象書類名】明細書
【補正対象項目名】００５８
【補正方法】変更
【補正の内容】
【００５８】
従って、この実施例では、固定部材２３に対して回転部材２９が回転され、固定部材２３の固定摺接面２１に設けられた送油孔３３に、回転部材２９の移動摺接面２５に設けられたスリット３５が一致すると、切替弁７が開き（油配管が開放され）、ポンプからの潤滑油がノズルから一定時間噴射される。この際、送油孔３３が円周上に複数設けられているので、回転部材２９が一回転するごと、即ち、固定部材２３と回転部材２９との相対位置関係（位相）に応じて、それぞれの送油孔３３に吐出孔３１からの潤滑油を供給でき、回転部材２９の一回転で複数箇所への潤滑油の供給が可能になる。
【手続補正６】
【補正対象書類名】明細書
【補正対象項目名】００５９
【補正方法】変更
【補正の内容】
【００５９】
また、本実施例は、図１２に示すように直線運動を利用したタイプとすることもできる。この実施例では、切替弁７に、固定摺接面２１を有する固定部材２３と、固定摺接面２１に密接する移動摺接面２５を有し且つ固定摺接面２１に対して移動摺接面２５を直線方向に摺接往復させる可動部材としてのスライド部材５５とを設けた。そして、固定部材２３の固定摺接面２１には、ポンプ３に接続される複数（本実施例では３つ）の吐出孔３１が直線方向に間隔を有して穿設される。この吐出孔３１は、前記直線方向に直交する縦長状のスリット３６内に形成されている。また、スライド部材５５の移動摺接面２５には、ノズル１３に接続される複数（本実施例では３つ）の送油孔３３が直線方向に吐出孔３１と同一の間隔で穿設される。この送油孔３３は、前記直線方向に直交する縦長状のスリット３５内に形成されている。
【手続補正７】
【補正対象書類名】明細書
【補正対象項目名】００６０
【補正方法】変更
【補正の内容】
【００６０】
従って、この場合の切替弁７は３入力３出力となる。この変形例による切替弁７では、固定部材２３とスライド部材５５とが直線方向に摺接しつつ往復移動され、即ち、固定部材２３とスライド部材５５との相対位置関係に応じて、固定部材２３の固定摺接面２１に設けられた複数の吐出孔３１と、スライド部材５５の移動摺接面２５に設けられた複数の送油孔３３とが同時に連通又は遮断される。すると、ポンプ３からの潤滑油がノズル１３から一定時間噴射されるようになる。この実施例によれば、スライド部材５５が直線方向に摺接して往復移動されるので、駆動源としてソレノイドの可動子や、シリンダ等の直線駆動装置がそのまま使用可能になる。
【手続補正８】
【補正対象書類名】明細書
【補正対象項目名】００６８
【補正方法】変更
【補正の内容】
【００６８】
次に、第４の実施例を説明する。
図１４は第４の実施例による潤滑装置の構成図、図１５は第４の実施例に用いられる切替弁の要部平面図である。
この実施例では、図１４に示すように切替弁７が、内周面に固定摺接面１０１を有する固定部材としての円筒状のステータ１０３と、固定摺接面１０１に密接する移動摺接面としての回転摺接面１０５を外周面に有し且つ固定摺接面１０１に対して回転摺接面１０５を摺接させながら回転する回転部材としてのロータ１０７とからなる。また、図１５に示すようにステータ１０３の固定摺接面１０１には、ノズル１３に接続される送油孔３３が半径方向に穿設され、この送油孔３３が円周方向に間隔を有して複数穿設されている。一方、ロータ１０７の回転摺接面１０５には、ポンプ３に接続される吐出孔３１が半径方向に穿設され、この吐出孔３１が円周方向に送油孔３３と同一の間隔で穿設されている。
【手続補正９】
【補正対象書類名】明細書
【補正対象項目名】００６９
【補正方法】変更
【補正の内容】
【００６９】
この潤滑装置１では、ステータ１０３の内部でロータ１０７が回転駆動され、ステータ１０３とロータ１０７との相対位置関係（位相）に応じて、ステータ１０３の固定摺接面１０１に設けられた複数の送油孔３３がロータ１０７の回転摺接面１０５に設けられた吐出孔３１に一致すると、ポンプ３からの潤滑油がノズル１３から一定時間噴射される。このステータ１０３とロータ１０７とは、すきまばめにより構成することができ、低トルクによる高速切替えが容易に行えるようになる。例えば、永久磁石と電磁石を用いたロータリーソレノイド１０８の使用が可能になり高速な応答特性が得られ、通常のモータに比べて駆動回路が簡略化でき、アクチュエータの低コスト化が可能になる。
【手続補正１０】
【補正対象書類名】明細書
【補正対象項目名】００７２
【補正方法】変更
【補正の内容】
【００７２】
切替弁７は、図１７（ａ）に固定部材２３と図１７（ｂ）に可動部材としての回転部材２９を示すように、１入力５出力のロータリーバルブの２出力を使用した構成である。即ち、固定部材２３には中心部に吐出孔３１が設けられ、所定の半径位置で送油孔３３が６０゜間隔で合計５箇所に設けられている。一方、回転部材２９には、中心から前記所定の半径位置までの間に半径方向に幅０．５ｍｍのスリット３５が設けられている。そして、回転部材２９が回転駆動されることで、固定部材２３と回転部材２９との相対位置関係（位相）に応じて、固定部材２３の吐出孔３１から供給された潤滑油が回転部材２９のスリット３５に導入され、このスリット３５の半径方向外側に送油孔３３が重なったときに、この送油孔３３から潤滑油が送られる。